(57)【要約】【課題】通風抵抗の少ない風向変更装置により衣類との距離を短くし、かつ広範囲に風を供給でき少ないエネルギーで効率よく衣類を乾燥することのできる衣類乾燥装置を提供することを目的とする。【解決手段】風向変更装置１７が１８０度回転した際に、送風を拡散および集中を切り替えることができ、かつ９０度回転した際には衣類の周辺を集中して送風でき、風向変更装置１７から出た風が衣類に到達するまでの風の減衰が少なく、衣類乾燥時間を早めることができる衣類乾燥装置１１を提供することができる。【選択図】図１
2010029578.tif 000002
【特許請求の範囲】
【請求項１】
本体表面パネルに設けられた吸込み口と、本体内部に設けられた吹出し口とを結ぶ空気通路に送風手段を設け、前記吹出し口と前記本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する少なくとも４枚のフィンを備え、前記フィンは前記回転軸の両端に近い２枚の前記フィンを反対に傾斜させるように備えられ、前記回転軸と前記フィンが一体である構成であり、前記回転軸を中心に反転することで、送風を拡散させたり、送風を集中させることができるとともに、中央の２枚の前記フィンの間に設置されたプレートを備え、前記プレートにより吹出し口の中央のみを封鎖することができる衣類乾燥装置。
【請求項２】
回転軸を中心に速度可変で往復運動ができる速度可変手段を備えた請求項１に記載の衣類乾燥装置。
【請求項３】
回転軸を中心に複数の往復角で往復運動ができる往復角制御手段を備えた請求項１から２いずれか１項に記載の衣類乾燥装置。
【請求項４】
送風を拡散した状態で回転軸を中心に往復運動をした後、前記回転軸を中心に反転して、送風を集中させる状態にして前記回転軸を中心に往復運動をする動作を交互に繰り返すことができる請求項１から３いずれか１項に記載の衣類乾燥装置。
【請求項５】
回転方向の規制をする規制手段を備えた請求項１から４いずれか１項に記載の衣類乾燥装置。
【請求項６】
規制手段に接触させてから位置決めを行う位置決め手段を備えた請求項１から５いずれか１項に記載の衣類乾燥装置。
【請求項７】
風向変更装置の回転方向に風向きを変更するフラップを備え、前記フラップと前記風向変更装置は、それぞれ独立で駆動する請求項１から６いずれか１項に記載の衣類乾燥装置。
【請求項８】
フィンに曲率を備えた請求項１から７いずれか１項に記載の衣類乾燥装置。
【請求項９】
運転停止時に、風向変更装置が本体表面パネルの内部に収納される請求項１から８いずれか１項に記載の衣類乾燥装置。
【請求項１０】
フラップが運転停止時に衣類乾燥装置の表面パネル位置で停止する請求項１から９いずれか１項に記載の衣類乾燥装置。
【請求項１１】
本体表面パネルに赤外線センサを設けた請求項１から１０いずれか１項に記載の衣類乾燥装置。
【請求項１２】
空気通路内に除湿手段を設けた請求項１から１１いずれか１項に記載の衣類乾燥装置。
【請求項１３】
空気通路内に加熱手段を設けた請求項１から１２いずれか１項に記載の衣類乾燥装置。
【請求項１４】
風向変更装置に、抗菌または／および防カビ加工を施した請求項１から１３いずれか１項に記載の衣類乾燥装置。
【発明の詳細な説明】
【技術分野】
【０００１】
本発明は、一般的な住宅において湿潤した衣類を乾燥する衣類乾燥装置に関するものである。
【背景技術】
【０００２】
従来、この種の衣類乾燥装置として、広範囲に送風して均一に衣類を乾燥させるものが知られている（例えば、特許文献１参照）。
【０００３】
また、風を広範囲に均一に当てることを目的として様々な風向変更装置が存在している（例えば、特許文献２参照）。
【０００４】
以下、従来の衣類乾燥装置、風向変更装置の一例について図８、図９を参照しながら説明する。
【０００５】
図８に示すように、乾燥機の吹出し口１０１には空気の送風方向を決める吹出しグリル１０２が設けられ、この吹出しグリル１０２は室内の幅方向に対して真っ直ぐ及びその斜め両側方向に空気を吹出し可能とする吹出し風向板１０３、１０４、１０５を有している衣類乾燥装置である。
【０００６】
また、図９に示すように、吹出し口２０４に設けられた横軸２０１周りに上下方向に往復動する横ルーバ２０２と、該横ルーバ２０２を上下方向に往復駆動する横ルーバ駆動手段２０３と、吹出し口２０４に設けられ前記横軸に直交する垂直軸２０５周りに左右方向に往復揺動する縦ルーバ２０６と、該縦ルーバ２０６を左右方向に往復駆動する縦ルーバ駆動手段２０７と、横ルーバ駆動手段および縦ルーバ駆動手段２０７を制御する制御部とを備えた風向変更装置である。
【特許文献１】特開２００４−２７８９５６号公報
【特許文献２】特開２００７−２４００６４号公報
【発明の開示】
【発明が解決しようとする課題】
【０００７】
このような従来の送風吹出装置では、各々のフィンとフラップが分割されて連動できるため、構成が複雑であり、通風抵抗による圧力損失が大きいという課題があり、圧力損失を低減することが要求されている。本発明は、このような従来の課題を解決するものであり、すべてのフィンを一体として、構成を単純にできることで通風抵抗を低減して、圧力損失を小さくすることができる送風吹出装置を提供することを目的としている。
【課題を解決するための手段】
【０００８】
本発明の送風吹出装置は、上記目標を達成するために、本体表面パネルに設けられた吸込み口と、本体内部に設けられた吹出し口とを結ぶ空気通路に送風手段を設け、前記吹出し口と前記本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する少なくとも４枚のフィンを備え、前記フィンは前記回転軸の両端に近い２枚の前記フィンを反対に傾斜させるように備えられ、前記回転軸と前記フィンが一体である構成であり、前記回転軸を中心に反転することで、送風を拡散させたり、送風を集中させることができるとともに、中央の２枚の前記フィンの間に設置されたプレートを備え、前記プレートにより吹出し口の中央のみを封鎖することができるものである。この手段によりすべてのフィンを一体として、構成を単純にできることで通風抵抗を低減して、圧力損失を小さくすることができる送風吹出装置が得られる。
【０００９】
また他の手段は、回転軸を中心に速度可変で往復運動ができる速度可変手段を備えたものである。
【００１０】
また他の手段は、回転軸を中心に複数の往復角で往復運動ができる往復角制御手段を備えたものである。
【００１１】
また他の手段は、送風を拡散した状態で回転軸を中心に往復運動をした後、回転軸を中心に反転して、送風を集中させる状態にして回転軸を中心に往復運動をする動作を交互に繰り返すことができるものである。
【００１２】
また他の手段は、回転方向の規制をする規制手段を備えたものである。
【００１３】
また他の手段は、規制手段に接触させてから位置決めを行う位置決め手段を備えたものである。
【００１４】
また他の手段は、風向変更装置の回転方向に風向きを変更するフラップを備え、前記フラップと前記風向変更装置は、それぞれ独立で駆動するものである。
【００１５】
また他の手段は、フィンに曲率を備えたものである。
【００１６】
また他の手段は、運転停止時に、風向変更装置が本体表面パネルの内部に収納されるものである。
【００１７】
また他の手段は、フラップが運転停止時に衣類乾燥装置の表面パネル位置で停止するものである。
【００１８】
また他の手段は、本体表面パネルに赤外線センサを設けたものである。
【００１９】
また他の手段は、空気通路内に除湿手段を設けたものである。
【００２０】
また他の手段は、空気通路内に加熱手段を設けたものである。
【００２１】
また他の手段は、風向変更装置に、抗菌または／および防カビ加工を施したものである。
【発明の効果】
【００２２】
本発明によれば通風抵抗の少ない風向変更装置により、広範囲に風を供給したり、部分的に風を集中させたりすることで、少ないエネルギーで効率よく衣類を乾燥できるという効果のある送風吹出装置を提供できる。
【００２３】
また、送風の往復する間隔の制御が良く、通風抵抗が少ないことによる送風効率が良くなり、少ないエネルギーで効率よく衣類を乾燥できるという効果のある送風吹出装置を提供できる。
【００２４】
また、送風の往復運動する範囲の制御が良く、通風抵抗が少ないことによる送風効率が良くなり、少ないエネルギーで効率よく衣類を乾燥できるという効果のある送風吹出装置を提供できる。
【００２５】
また、風向を自在に制御できることで、快適性の向上や部屋全体を送風させ、少ないエネルギーで効率よく衣類を乾燥できるという効果のある送風吹出装置を提供できる。
【００２６】
また、不必要な動作を防ぎ、送風の制御が良く、通風抵抗が少ないことによる送風効率が良くなり、少ないエネルギーで効率よく衣類を乾燥できるという効果のある送風吹出装置を提供できる。
【００２７】
また、稼動させるたびに基準が移動することなく、送風の制御が良く、通風抵抗が少ないことによる送風効率が良くなり、少ないエネルギーで効率よく衣類を乾燥できるという効果のある送風吹出装置を提供できる。
【００２８】
また、適切な風向制御を行うことで、少ないエネルギーで効率よく衣類を乾燥できるという効果のある送風吹出装置を提供できる。
【００２９】
また、フィンの表面を剥離しにくく、通風抵抗が少ないことによる送風効率が良くなり、少ないエネルギーで効率よく衣類を乾燥できるという効果のある送風吹出装置を提供できる。
【００３０】
また、運転が停止した状態での外観の美観を保つことができるという効果のある送風吹出装置を提供できる。
【００３１】
また、外観の美観を保つとともに、送風の制御が良く、通風抵抗が少ないことによる送風効率が良くなり、少ないエネルギーで効率よく衣類を乾燥できるという効果のある送風吹出装置を提供できる。
【００３２】
また、すでに乾燥している衣類に送風する必要がないため、無駄なエネルギーを消費しないという効果のある送風吹出装置を提供できる。
【００３３】
また、乾燥空気による水分蒸発の促進による短時間で乾燥することができるという効果のある送風吹出装置を提供できる。
【００３４】
また、空気の温度を上昇させることで、短時間で乾燥することができるという効果のある送風吹出装置を提供できる。
【００３５】
また、衣類を干すことによる部屋の湿度の上昇による不衛生を改善することができるという効果のある送風吹出装置を提供できる。
【発明を実施するための最良の形態】
【００３６】
本発明の請求項１記載の発明は、本体表面パネルに設けられた吸込み口と、本体内部に設けられた吹出し口とを結ぶ空気通路に送風手段を設け、前記吹出し口と前記本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する少なくとも４枚のフィンを備え、前記フィンは前記回転軸の両端に近い２枚の前記フィンを反対に傾斜させるように備えられ、前記回転軸と前記フィンが一体である構成であり、前記回転軸を中心に反転することで、送風を拡散させたり、送風を集中させることができるとともに、中央の２枚の前記フィンの間に設置されたプレートを備え、前記プレートにより吹出し口の中央のみを封鎖することができるものであり、風向変更装置を回転させることで風向きの制御ができるため、衣類の量が多く、広範囲に衣類を干す場合には風を広角に広げ、衣類の量が少量、あるいは乾きにくいものを集中的に乾燥する場合には中央または外側に局所的に風を集中させることで、効率よく衣類を乾燥することができるという作用を有する。
【００３７】
また、本発明の請求項２記載の発明は、回転軸を中心に速度可変で往復運動ができる速度可変手段を備えたものであり、風向変更装置が往復運動する時間間隔を変更することで、風向の制御を自在にできるという作用を有する。
【００３８】
また、本発明の請求項３記載の発明は、回転軸を中心に複数の往復角で往復運動ができる往復角制御手段を備えたものであり、風向変更装置が複数の往復角を変更することで、風向の制御を自在にできるという作用を有する。
【００３９】
また、本発明の請求項４記載の発明は、送風を拡散した状態で回転軸を中心に往復運動をした後、回転軸を中心に反転して、送風を集中させる状態にして回転軸を中心に往復運動をする動作を交互に繰り返すことができるものであり、風向変更装置の往復運動を制御するとともに送風の拡散と集中を交互に繰り返して、風向を制御できるという作用を有する。
【００４０】
また、本発明の請求項５記載の発明は、回転方向の規制をする規制手段を備えたものであり、風向変更装置の回転方向を規制することで、不必要な動作を防ぐことができ、接触による破損を防ぐことができるという作用を有する。
【００４１】
また、本発明の請求項６記載の発明は、規制手段に接触させてから位置決めを行う位置決め手段を備えたものであり、回転位置の基準を決めることができるため、任意の角度に風向変更装置を固定する制御が可能となるという作用を有する。
【００４２】
また、本発明の請求項７記載の発明は、風向変更装置の回転方向に風向きを変更するフラップを備え、前記フラップと前記風向変更装置は、それぞれ独立で駆動するものであり、風向変更装置の回転軸と平行方向の気流は風向変更装置により制御でき、風向変更装置の回転軸と垂直方向の気流はフラップにより制御できるため、任意の位置に気流を送ることができ、厚手の衣類など乾きにくいものに選択的に風を送るなどして適切に風量配分ができるため、効率よく衣類を乾燥できるという作用を有する。
【００４３】
また、本発明の請求項８記載の発明は、フィンに曲率を備えたものであり、空気の流路曲線に沿ってフィンに曲率を備えることで、空気がフィンに付着しやすくなり、剥離による圧力損失が起こりにくくすることができるという作用を有する。
【００４４】
また、本発明の請求項９記載の発明は、運転停止時に、風向変更装置が本体表面パネルの内部に収納されるものであり、運転停止時の外観を向上することができるという作用を有する。
【００４５】
また、本発明の請求項１０記載の発明は、フラップが運転停止時に衣類乾燥装置の表面パネル位置で停止するものであり、フラップが閉じた時には吹出口を閉じて、外観を損なわないことができ、フラップが開いた時には吹出口を有効に利用して送風することができるという作用を有する。
【００４６】
また、本発明の請求項１１記載の発明は、本体表面パネルに赤外線センサを設けたものであり、未乾燥の衣類を識別することが可能となるため、風を未乾燥の衣類に集中的に送ることにより効率よく衣類乾燥をすることができるという作用を有する。
【００４７】
また、本発明の請求項１２記載の発明は、空気通路内に除湿手段を設けたものであり、乾燥空気を衣類に供給できるため、より効率よく衣類乾燥ができるという作用を有する。
【００４８】
また、本発明の請求項１３記載の発明は、空気通路内に加熱手段を設けたものであり、空気中に含める水分量を増やすことができるため、乾燥速度を高めることができるという作用を有する。
【００４９】
また、本発明の請求項１４記載の発明は、風向変更装置に、抗菌または／および防カビ加工を施したものであり、風向変更装置上での細菌やカビの繁殖を防ぐことができ、清潔に保つことができる。また、空気中の細菌やカビを抑制できるため、清潔な風を衣類に供給できるという作用を有する。
【００５０】
以下、本発明の実施の形態について図面を参照しながら説明する。
【００５１】
（実施の形態１）
まず、本発明の実施の形態１の構成を示す。
【００５２】
図１に本発明の実施の形態１の衣類乾燥装置の断面を示す構成図を示す。
【００５３】
図１に示すように、衣類乾燥装置１１は、本体表面パネル１２に設けられた吸込み口１３と、衣類乾燥装置１１内部に設けられた吹出し口１４とを結ぶ空気通路に送風手段としてのファン１５を設け、ファン１５と吹出し口１４との間に加熱手段としてのヒータ１６を備え、吹出し口１４から吹出される風を効率よく衣類に供給するための風向変更装置１７とフラップ１８を備えた構成である。空気通路内に加熱手段としてのヒータ１６を設けたことで、空気中に含める水分量を増やすことができるため、乾燥速度を高めることができる。加熱手段としては特に限定しないが、カーボンヒータ、セラミックヒータ、ニクロムヒータ、ハロゲンヒータなど一般的に用いられる各種ヒータや、熱交換器を用いて外部から温度を供給するなどの手段を用いることができる。
【００５４】
図２に本発明の実施の形態１の風向変更装置の模式図を示す。
【００５５】
図２に示すように、風向変更装置１７は一体であり、送風方向に対して垂直方向に回転軸２２を有し、回転軸２２方向に風向きを制御する複数の曲率のあるフィン２３ａ、２３ｂ、２３ｃ、２３ｄを備え、フィン２３ａ〜２３ｄは回転軸２２の両端に近い２枚のフィン２３ａ、２３ｄを反対に傾斜させるように備えられた回転軸２２を中心に少なくとも１８０度回転できる構成である。
【００５６】
図３に本発明の実施の形態１の風向変更装置の別の模式図を示す。
【００５７】
また、図３に示すように、フィン２３ａ〜２３ｄが吹出し口１４側から放射状に広がるよう配置される。また、吹出し口１４の開口部の両端と、風向変更装置１７のフィン２３ａ〜２３ｄの位置が略一致する構成となっている。
【００５８】
ここで、中央のフィン２３ｂ〜２３ｃの間に設置されたプレート２１により吹出し口の中央のみを封鎖することができる構成となっている。
【００５９】
なお、本件ではフィン２３の枚数を４枚にしているが、開口部の大きさや風量により適時増加することが可能である。
【００６０】
図４は、本発明の実施の形態１の風向変更装置とフラップの模式図を示す。
【００６１】
また、図４に示すように、風向変更装置１７とフラップ１８はそれぞれ別の往復運動手段であるステッピングモータ４３ａ、４３ｂに連結されており、風向変更装置１７とフラップ１８はそれぞれ独立で駆動するものである。また、ステッピングモータ４３ａ、４３ｂは、速度可変で、複数の往復角で往復運動する制御をする制御手段４４ａ、４４ｂにそれぞれ接続されている。
【００６２】
次に、本発明の実施の形態１の動作を示す。
【００６３】
図１に示すように、ファン１５が動作して、吹出し口１４から送風を行い、風向変更装置１７とフラップ１８を通じて送風の方向を変化させる。
【００６４】
図２に示すように、フィン２３ａ〜２３ｄは、吹出し口１４中央から離れるに従い、フィン２３ａ〜２３ｄの傾斜角度が大きくなる構成であり、吹出し口１４からの風を広角に広げることができ、風向変更装置１７が一体であるため、通風抵抗が少なくてすみ、送風手段の負荷が少なくてすむため、省エネである。
【００６５】
また、風向変更装置１７を回転させることで風向きの制御ができるため、衣類の量が多く、広範囲に衣類を干す場合には風を広角に広げ、衣類の量が少量、あるいは乾きにくいものを集中的に乾燥する場合には局所的に風を集中させることで、効率よく衣類を乾燥することができる。
【００６６】
また、風向変更装置１７を送風を拡散した状態で回転軸２２を中心に往復運動をした後、回転軸２２を中心に反転して、送風を集中させる状態にして回転軸２２を中心に往復運動をする動作を交互に繰り返すことができ、風向を自在に制御できることで、快適性の向上や部屋全体を送風させ、少ないエネルギーで効率よく衣類を乾燥できる。
【００６７】
なお、ここでは一例として、複数のフィン２３ａ〜２３ｄの配置を回転軸２２の両端に近い２枚のフィン２３ａ、２３ｄを反対に傾斜させるとしたが、吹出し口１４と風向変更装置１７の配置によっては、フィン２３ａ〜２３ｄの配置は回転軸２２のどちらか一方の端部に近いフィン２３ａまたはフィン２３ｄを回転軸２２に対して略垂直に備える構成としてもよい。
【００６８】
また、フィン２３ａ〜２３ｄに曲率を付けたことで、吹出し口１４からの風の流路曲線に沿ってフィン２３ａ〜２３ｄに曲率を備えることで、空気がフィン２３ａ〜２３ｄに付着しやすくなり、剥離による圧力損失を起こりにくくすることができる。
【００６９】
ここで、風向変更装置１７を回転させて、フィン２３ａ〜２３ｄの傾斜角度が大きくなる構成から９０°回転させるとプレート２１が吹出し口１４の中央を封鎖することになり、中央は送風せず、外側のみ風を衣類に当てることができるため、外側に乾きにくい衣類がある場合は、衣類の乾燥を効率よくすることができる。
【００７０】
図３に示すように、フィン２３ａ〜２３ｄが吹出し口１４側から放射状に広がるよう配置されることで、より広角に風を広げることができる。また、風向変更装置１７を１８０°反転させた際に、吹出し口１４の開口部の両端と、風向変更装置１７のフィン２３の位置が略一致することで、吹出し口１４からの風を風向変更装置１７の外側に逃すことなく、内部に効率よく導くことができ、衣類乾燥時間を早めることができる。
【００７１】
図４に示すように、風向変更装置１７とフラップ１８が独立に駆動できるため、風向変更装置１７の回転軸２２と平行方向の気流は風向変更装置１７により制御でき、風向変更装置１７の回転軸２２と垂直方向の気流はフラップ１８により制御できるため、任意の位置に気流を送ることができるまた、フラップ１８が、速度可変で往復運動ができる往復運動手段を備えるので、フラップ１８の可動する速度を変更することで、衣類に供給する風量を自在に制御できる。
【００７２】
例えば、厚手の衣類など乾燥しにくい衣類のある範囲ではフラップ１８の速度を遅くすることで衣類に送る風の量を増やし、薄手の衣類など乾燥しやすい衣類のある範囲ではフラップ１８の速度を速くすることで風量を減らすなど、フラップ１８の可動する速度を制御することで、衣類の乾燥のしやすさに合わせて最適に風を送ることができるため、効率よく衣類乾燥を行うことができる。
【００７３】
また、フラップ１８が、複数の往復角で往復運動ができる往復運動手段を備えるので、フラップ１８の複数の往復角を変更することで、風向の制御を自在にできる。例えば、衣類が少量であれば、往復角を小さくすることで、衣類のある場所だけに集中して風を送ることができ、衣類の量が多ければ、往復角を大きくすることで広範囲に風を均等に送ることができ、フラップ１８の往復運動する往復角を複数に分けて制御することで、衣類の量に合わせて最適に風を送ることができるため、効率よく衣類乾燥を行うことができる。
【００７４】
図５に、本発明の実施の形態１の風向変更装置とフラップの模式図を示す。
【００７５】
また、図５に示すように、衣類乾燥装置の運転停止時に、風向変更装置１７が衣類乾燥装置の本体表面パネル位置３２の内部に収納され、フラップ１８が本体表面パネル位置３２で停止するものであり、運転停止時の外観を向上することができる。
【００７６】
（実施の形態２）
本発明の実施の形態２は、実施の形態１と同一部分については同一番号を付し、詳細な説明は省略する。
【００７７】
まず、本発明の実施の形態２の構成を示す。
【００７８】
図６に、実施の形態２の衣類乾燥装置の断面を示す構成図を示す。
【００７９】
図６に示す衣類乾燥装置の一例は、吸込み口６１から取り入れた空気を、除湿手段としての除湿ロータ６２に送風するための送風手段としての処理ファン６３と、除湿ロータ６２を通過し、除湿された空気を吹出す吹出し口６４と、吹出し口１４から吹出される風を効率よく衣類に供給するための、２枚のフラップ１８と抗菌・防カビ加工の施された風向変更装置１７を備え、除湿ロータ６２から湿気を脱着するための加熱再生手段６６と、加熱手段１９によって暖められた空気を回収し脱着した水を冷却、回収するための熱交換装置６７と、回収した水をためるタンク６８とを有し、本体表面に赤外線センサ６９を備えた構成となっている。
【００８０】
次に実施の形態２の動作を説明する。
【００８１】
除湿ロータ６２は処理ファン６３によって通気され、空気中の水分および臭気および菌を吸着する。そして回転し、加熱再生手段６６であたためられ、除湿ロータ６２から水分が脱着し、熱交換装置６７内で冷やされて液体となりタンク６８に回収される。
【００８２】
上記構成において、空気通路内に除湿手段を設けたことで、乾燥空気を衣類に供給できるため、より効率よく衣類乾燥ができる。除湿手段としては、一例として吸湿材を使用した除湿手段をあげたが、コンプレッサを使用してもよく、既知の方法を用いることができる。
【００８３】
また、本体表面に赤外線センサ６９を設けたことで、未乾燥の衣類を識別することが可能となるため、風を未乾燥の衣類に集中的に送ることにより効率よく衣類乾燥をすることができる。
【００８４】
図７に、実施の形態２の風向変更装置の模式図を示す。
【００８５】
また、図７に示すように、風向変更装置１７は２枚のフラップ１８を一体化しており、回転軸２２に回転の位置決め手段としてのストッパー板７４が設けられた構成となっている。風向変更装置１７はフラップ１８を一体化しているため、フラップ１８が分かれている場合と比較して部品点数を削減できる。また、フラップ１８を一体化することで、フラップ１８とフィン２３の間などの隙間をなくすことができるため、隙間に生じる風の乱れを少なくすることができ、通風抵抗を削減できる。
【００８６】
また、回転の位置決め手段としてのストッパー板７４が設けられているため、回転を規制することによる過回転の防止とともに、回転位置の基準を決めることができるため、任意の角度に風向変更装置１７を固定する制御が可能である。したがって、風向変更装置１７を往復させる位置を正確に再現することができ、効率よく乾燥することができる。
【００８７】
また、風向変更装置１７に抗菌または／および防カビ加工を施すことで、細菌やカビの繁殖を防ぐことができ、清潔に保つことができる。
【００８８】
また、空気中の細菌やカビを抑制できるため、清潔な風を衣類に供給できる。抗菌材料としては特に限定しないが、例えば抗菌剤として、銀・銅・亜鉛などの金属イオンを溶出する無機化合物、銀・銅・亜鉛の金属微粒子、銀ゼオライト、銀含有リン酸ジルコニウム、ヨウ素化合物類、フェノール類、第４級アンモニウム塩類、イミダゾール化合物類、安息香酸類、過酸化水素、クレゾール、クロルヘキシジン、イルガサン、アルデヒド類、ソルビン酸等の薬剤やリゾチーム・セルラーゼ・プロテアーゼなどの酵素製剤、カテキン類、竹抽出物、ヒノキ抽出物、わさび抽出物、からし抽出物などの天然成分抽出物などが挙げられる。
【００８９】
また、防カビ剤としては、有機窒素化合物、硫黄系化合物、有機酸エステル類、有機ヨウ素系イミダゾール化合物、ベンザゾール化合物などが挙げられる。
【産業上の利用可能性】
【００９０】
通風抵抗の少ない風向変更装置により、広範囲に風を供給でき、少ないエネルギーで効率よく衣類を乾燥することのできる衣類乾燥装置を提供でき、家庭用の浴室乾燥機、除湿機、空気調和装置などへの用途にも適用できる。
【図面の簡単な説明】
【００９１】
【図１】本発明の実施の形態１の衣類乾燥装置の断面を示す構成図
【図２】同風向変更装置の模式図
【図３】同模式図
【図４】同風向変更装置とフラップの模式図
【図５】同模式図
【図６】実施の形態２の衣類乾燥装置の断面を示す構成図
【図７】同風向変更装置の模式図
【図８】従来例の衣類乾燥装置の表面パネルの模式図
【図９】従来例の風向変更装置の模式図
【符号の説明】
【００９２】
１１    衣類乾燥装置
１２    本体表面パネル
１３    吸込み口
１４    吹出し口
１５    ファン
１６    ヒータ
１７    風向変更装置
１８    フラップ
２１    プレート
２２    回転軸
２３    フィン
２３ａ  フィン
２３ｂ  フィン
２３ｃ  フィン
２３ｄ  フィン
３２    本体表面パネル位置
４３ａ  ステッピングモータ
４３ｂ  ステッピングモータ
４４ａ  制御手段
４４ｂ  制御手段
６２    除湿ロータ
６３    処理ファン
６６    加熱再生手段
６７    熱交換装置
６８    タンク
６９    赤外線センサ
７４    ストッパー板
【図１】
2010029578.tif 000003
【図２】
2010029578.tif 000004
【図３】
2010029578.tif 000005
【図４】
2010029578.tif 000006
【図５】
2010029578.tif 000007
【図６】
2010029578.tif 000008
【図７】
2010029578.tif 000009
【図８】
2010029578.tif 000010
【図９】
2010029578.tif 000011